(57)【要約】【課題】更に簡単に装着をすることができる衣服を提供することを目的とする。【解決手段】身頃部１０を有する衣服１であって、身頃部１０は、前身頃１１と後身頃１２を有するとともに、側部１０ａ´，１０ｂ´に左スリット１３と右スリット１４を有し、更に、後身頃１２の中央部の内面１２ａ側に、側方より詳しくは左右方向に紐状または帯状に長尺に延びる延長部材３０を保持して設け、延長部材３０は、スリット１３，１４を介して後身頃１２の内面１２ａ側から外側に挿出可能な長さに設定される。【選択図】図１
2020084364.tif 000002
【特許請求の範囲】
【請求項１】
身頃部を有する衣服であって、
前記身頃部は、前身頃と後身頃を有するとともに、側部に左スリットと右スリットを有し、
更に、前記後身頃の内面側に、側方に延びる延長部材を設け、
前記延長部材は、前記スリットを介して前記後身頃の内面側から外側に挿出可能な長さに設定されることを特徴とする衣服。
【請求項２】
前記延長部材は、前記左スリットおよび前記右スリットのいずれもから前記外側に挿出可能な長さに設定されるとともに、前記左スリットおよび前記右スリットから挿出する一端側と他端側を自由端として前記前身頃の前部の外面側の所定位置で連結可能な長さに設定されることを特徴とする請求項１に記載の衣服。
【請求項３】
前記延長部材の一端側と他端側は、端部連結部材により相互に連結可能とし、前記端部連結部材により前記延長部材の一端側と他端側を相互に連結可能とすることにより、前記前身頃を介して前記延長部材を人体に巻き付けて締め付け可能とすることを特徴とする請求項２に記載の衣服。
【請求項４】
前記延長部材の一端側と他端側は、相互に係合可能とすることにより相互に連結可能とすることを特徴とする請求項３に記載の衣服。
【請求項５】
前記端部連結部材は、前記延長部材の一端側に設けられる第１端部連結部材と、前記延長部材の他端側に設けられる第２端部連結部材と、を有し、前記第１端部連結部材と前記第２端部連結部材は、相互に係合可能とすることにより相互に連結可能とし、更に前記第１端部連結部材と前記第２端部連結部材のうち少なくともいずれか一方は、前記延長部材の長手方向に沿って所定の長さを有し、前記連結の位置を前記延長部材の長手方向に沿って相互に変更可能とすることを特徴とする請求項４に記載の衣服。
【請求項６】
前記延長部材が設けられる高さ方向の位置は、前記左スリットおよび前記右スリットが設けられる高さ方向の位置に対応する位置とすることを特徴とする請求項５に記載の衣服。
【請求項７】
前記前身頃を介しての前記延長部材による前記人体の締め付け位置は、該延長部材を連結し前記前身頃を介して前記延長部材を前記人体に締め付けた状態で前記人体の第５肋軟骨における胸骨と連結する位置の最上端の位置から前記人体における第８肋骨と第８肋軟骨とが連結する連結位置の最下端の位置に至る範囲内に設定されることを特徴とする請求項１乃至請求項６のいずれか一項に記載の衣服。
【請求項８】
前記前身頃を介しての前記延長部材による前記人体の締め付け位置は、該延長部材を連結し前記前身頃を介して前記延長部材を前記人体に締め付けた状態で前記人体の第５肋軟骨における胸骨と連結する位置の最上端の位置から前記人体における第７肋骨と第７肋軟骨とが連結する連結位置の最下端の位置に至る範囲内に設定されることを特徴とする請求項１乃至請求項６のいずれか一項に記載の衣服。
【請求項９】
前記前身頃を介しての前記延長部材による前記人体の締め付け位置のうち少なくともいずれかの位置は、該延長部材の一端側と他端側を連結し前記前身頃を介して前記延長部材を前記人体に締め付けた状態で前記人体の剣状突起の最上端の位置から最下端の位置に至る範囲に含まれるように設定されることを特徴とする請求項１乃至請求項６のいずれか一項に記載の衣服。
【請求項１０】
前記前身頃を介しての前記延長部材による前記人体の締め付け位置は、該延長部材の一端側と他端側を連結し前記前身頃を介して前記延長部材を前記人体に締め付けた状態で前記人体の剣状突起の最上端の位置から最下端の位置に至る範囲内に設定されることを特徴とする請求項１乃至請求項６のいずれか一項に記載の衣服。
【請求項１１】
前記前身頃は、左右方向の中央部の上端から下端にかけて左右に分離するように形成されて左前身頃と右前身頃を有するとともに、前記左前身頃の端部に左襟部を、前記右前身頃の端部に右襟部を有し、
前記端部連結部材は、前記左襟部と前記右襟部を重ね合わせた状態で前記前身頃の前部の外面側の所定位置で連結可能とすることを特徴とする請求項１乃至請求項１０のいずれか一項に記載の衣服。
【請求項１２】
前記左襟部および前記右襟部は、前記左襟部を前部側とし、前記右襟部を後部側として重ね合わせられるとともに、
前記延長部材の一端側は、前記左スリットから挿出し、前記延長部材の他端側は、前記右スリットから挿出し、
前記端部連結部材は、前記一端側に設けられる第１端部連結部材を後部側とし、前記他端側に設けられる第２端部連結部材を前部側として前記第１端部連結部材と前記第２端部連結部材が重ね合わせられるように連結可能とすることを特徴とする請求項１１に記載の衣服。
【請求項１３】
前記端部連結部材は、面ファスナーとすることを特徴とする請求項１２に記載の衣服。
【請求項１４】
前記延長部材を、前記後身頃の内面側で保持する保持部を有することを特徴とする請求項１乃至請求項１３のいずれか一項に記載の衣服。
【請求項１５】
前記延長部材を、前記後身頃の内面側で保持する保持部を有するとともに、前記後身頃の内面側であって前記身頃部の側端となる前記左スリットおよび前記右スリットの付近では前記延長部材を保持しない非保持部を有することを特徴とする請求項１乃至請求項１３のいずれか一項に記載の衣服。
【請求項１６】
前記保持部は、前記後身頃の内面側の中央部の一定領域に設けられるとともに、前記保持部が設けられる前記後身頃の内面側の中央部における左右の端部から前記左右のスリットまで前記後身頃の内面側に前記延長部材を保持しない非保持部とすることを特徴とする請求項１４または請求項１５に記載の衣服。
【請求項１７】
前記保持部は、左右方向の長さ寸法を、前記左右のスリット間の間隔の５０％以内の長さ寸法に設定されることを特徴とする請求項１６に記載の衣服。
【請求項１８】
身頃部を有する衣服の締め付け方法であって、
前記衣服は、前記身頃部は、前身頃と後身頃を有するとともに、側部に左スリットと右スリットを有し、
更に、前記後身頃の内面側に、側方に延びる延長部材を設け、
前記延長部材は、前記スリットを介して前記後身頃の内面側から外側に挿出可能な長さに設定され、
前記前身頃を介しての前記延長部材による前記人体の締め付け位置は、該延長部材を連結し前記前身頃を介して前記延長部材を前記人体に締め付けた状態で前記人体の第５肋軟骨における胸骨と連結する位置の最上端の位置から前記人体の前部における第８肋骨と第８肋軟骨とが連結する連結位置の最下端の位置に至る範囲内に設定されることを特徴とする衣服の締め付け方法。
【請求項１９】
身頃部を有する衣服の締め付け方法であって、
前記衣服は、前記身頃部は、前身頃と後身頃を有するとともに、側部に左スリットと右スリットを有し、
更に、前記後身頃の内面側に、側方に延びる延長部材を設け、
前記延長部材は、前記スリットを介して前記後身頃の内面側から外側に挿出可能な長さに設定され、
前記前身頃を介しての前記延長部材による締め付け位置は、該延長部材を連結し前記前身頃を介して前記延長部材を人体に締め付けた状態で人体の第５肋軟骨における胸骨と連結する位置の最上端の位置から人体の前部における第７肋骨と第７肋軟骨とが連結する連結位置の最下端の位置に至る範囲内に設定されることを特徴とする衣服の締め付け方法。
【請求項２０】
身頃部を有する衣服の締め付け方法であって、
前記衣服は、前記身頃部は、前身頃と後身頃を有するとともに、側部に左スリットと右スリットを有し、
更に、前記後身頃の内面側に、側方に延びる延長部材を設け、
前記延長部材は、前記スリットを介して前記後身頃の内面側から外側に挿出可能な長さに設定され、
前記前身頃を介しての前記延長部材による締め付け位置のうち少なくともいずれかの位置は、該延長部材の一端側と他端側を連結し前記前身頃を介して前記延長部材を人体に締め付けた状態で人体の剣状突起の最上端の位置から最下端の位置に至る範囲に含まれるように設定されることを特徴とする衣服の締め付け方法。
【請求項２１】
身頃部を有する衣服の締め付け方法であって、
前記衣服は、前記身頃部は、前身頃と後身頃を有するとともに、側部に左スリットと右スリットを有し、
更に、前記後身頃の内面側に、側方に延びる延長部材を設け、
前記延長部材は、前記スリットを介して前記後身頃の内面側から外側に挿出可能な長さに設定され、
前記前身頃を介しての前記延長部材による締め付け位置は、該延長部材の一端側と他端側を連結し前記前身頃を介して前記延長部材を人体に締め付けた状態で人体の剣状突起の最上端の位置から最下端の位置に至る範囲内に設定されることを特徴とする衣服の締め付け方法。
【請求項２２】
前記延長部材を、前記後身頃の内面側で保持するとともに、前記後身頃の内面側であって前記身頃部の側端となる前記左スリットおよび前記右スリットの付近では前記延長部材を保持しないことを特徴とする請求項１８乃至請求項２１のいずれか一項に記載の衣服の締め付け方法。
【請求項２３】
前記保持は、前記後身頃の内面側の中央部の一定領域で行われるとともに、前記保持が行われる前記後身頃の内面側の中央部における左右の端部から前記左右のスリットまで前記後身頃の内面側に前記延長部材を保持しないことを特徴とする請求項２２に記載の衣服。
【発明の詳細な説明】
【技術分野】
【０００１】
本発明は、衣服および衣服の締め付け方法に関し、特に、身頃部を有する衣服および衣服の締め付け方法に関する。
【背景技術】
【０００２】
近年は、浴衣や着物に代表される和服の需要が非常に多くなっており、特に若者や外国人の間でその需要が広がっている。しかしながら、和服の着付け（装着）は一般に難しく、例えば特許文献１に開示されるように、簡単に着付け（装着）をすることができる和服（衣服）が提案されている。
【先行技術文献】
【特許文献】
【０００３】
【特許文献１】特開２００７−１６３７２号公報
【発明の概要】
【発明が解決しようとする課題】
【０００４】
ところで、近年は、更に簡単に着付け（装着）をすることができる和服（衣服）の開発が望まれていた。
【０００５】
本発明はこのような事情に鑑みてなされたものであり、更に簡単に装着をすることができる衣服および衣服の締め付け方法を提供することを目的とする。
【課題を解決するための手段】
【０００６】
上記目的を達成するために、本発明に係る衣服は、身頃部を有する衣服であって、前記身頃部は、前身頃と後身頃を有するとともに、側部に左スリットと右スリットを有し、更に、前記後身頃の内面側に、側方に延びる延長部材を設け、前記延長部材は、前記スリットを介して前記後身頃の内面側から外側に挿出可能な長さに設定されることを特徴とする。
【０００７】
本発明によれば、前記身頃部は、前身頃と後身頃を有するとともに、側部に左スリットと右スリットを有し、更に、前記後身頃の内面側に、側方に延びる延長部材を設け、前記延長部材は、前記スリットを介して前記後身頃の内面側から外側に挿出可能な長さに設定されることとしたので、延長部材を、外側に挿出後に単に連結することにより身頃部を装着することが可能となる等、従来に対し更に簡単に装着することができる。
【０００８】
前記延長部材は、前記左スリットおよび前記右スリットのいずれもから前記外側に挿出可能な長さに設定されるとともに、前記左スリットおよび前記右スリットから挿出する一端側と他端側を自由端として前記前身頃の前部の外面側の所定位置で連結可能な長さに設定されることとすれば、延長部材の一端側と他端側を前記前身頃の前部の外面側の所定位置で連結することができる。
【０００９】
前記延長部材の一端側と他端側は、端部連結部材により相互に連結可能とし、前記端部連結部材により前記延長部材の一端側と他端側を相互に連結可能とすることにより、前記前身頃を介して前記延長部材を人体に巻き付けて締め付け可能とすることができる。
【００１０】
前記延長部材の一端側と他端側は、相互に係合可能とすることにより相互に連結可能とすることができる。
【００１１】
前記端部連結部材は、前記延長部材の一端側に設けられる第１端部連結部材と、前記延長部材の他端側に設けられる第２端部連結部材と、を有し、前記第１端部連結部材と前記第２端部連結部材は、相互に係合可能とすることにより相互に連結可能とし、更に前記第１端部連結部材と前記第２端部連結部材のうち少なくともいずれか一方は、前記延長部材の長手方向に沿って所定の長さを有し、前記連結の位置を前記延長部材の長手方向に沿って相互に変更可能とすることとすれば、前記延長部材により前記前身頃を人体に締め付け可能とすることができる。
【００１２】
前記延長部材が設けられる高さ方向の位置は、前記左スリットおよび前記右スリットが設けられる高さ方向の位置に対応する位置とすることとすれば、側方に延びる延長部材を左スリットおよび右スリットから挿出させることができる。
【００１３】
前記前身頃を介しての前記延長部材による前記人体の締め付け位置は、該延長部材を連結し前記前身頃を介して前記延長部材を前記人体に締め付けた状態で前記人体の第５肋軟骨における胸骨と連結する位置の最上端の位置から前記人体の前部における第８肋骨と第８肋軟骨とが連結する連結位置の最下端の位置に至る範囲内に設定されることができる。
【００１４】
前記前身頃を介しての前記延長部材による前記人体の締め付け位置は、該延長部材を連結し前記前身頃を介して前記延長部材を前記人体に締め付けた状態で前記人体の第５肋軟骨における胸骨と連結する位置の最上端の位置から前記人体の前部における第７肋骨と第７肋軟骨とが連結する連結位置の最下端の位置に至る範囲内に設定されることができる。
【００１５】
前記前身頃を介しての前記延長部材による前記人体の締め付け位置のうち少なくともいずれかの位置は、該延長部材の一端側と他端側を連結し前記前身頃を介して前記延長部材を前記人体に締め付けた状態で前記人体の剣状突起の最上端の位置から最下端の位置に至る範囲に含まれるように設定されることができる。
【００１６】
前記前身頃を介しての前記延長部材による前記人体の締め付け位置は、該延長部材を連結し前記前身頃を介して前記延長部材を前記人体に締め付けた状態で前記人体の剣状突起の最上端の位置から最下端の位置に至る範囲内に設定されることができる。
【００１７】
すなわち、前記延長部材による前記前身頃の締め付け位置を上記の位置とすれば、胸部と胴部の境界における人体の窪みを利用して身頃部が位置ずれする等衣服が着崩れすることを少なくすることができる。
【００１８】
前記前身頃は、左右方向の中央部の上端から下端にかけて左右に分離するように形成されて左前身頃と右前身頃を有するとともに、前記左前身頃の端部に左襟部を、前記右前身頃の端部に右襟部を有し、前記端部連結部材は、前記左襟部と前記右襟部を重ね合わせた状態で前記前身頃の前部の外面側の所定位置で連結可能とすることとすれば、衣服が着崩れすることを更に少なくすることができる。
【００１９】
前記左襟部および前記右襟部は、前記左襟部を前部側とし、前記右襟部を後部側として重ね合わせられるとともに、前記延長部材の一端側は、前記左スリットから挿出し、前記延長部材の他端側は、前記右スリットから挿出し、前記端部連結部材は、前記一端側に設けられる第１端部連結部材を後部側とし、前記他端側に設けられる第２端部連結部材を前部側として前記第１端部連結部材と前記第２端部連結部材が重ね合わせられるように連結可能とすることとすれば、襟部と端部連結部材の前後の重ね合わせの状態を相互に反対にすることができ、更に一層衣服が着崩れすることを少なくすることができる。
【００２０】
前記端部連結部材は、面ファスナーとすることができる。
前記延長部材を、前記後身頃の内面側で保持する保持部を有することとすることができる。
【００２１】
すなわち、前記延長部材を、前記後身頃の内面側で保持する保持部を有するとともに、前記後身頃の内面側であって前記後身頃の左右の側端となる前記左下スリットおよび前記右下スリットの付近では前記延長部材を保持しない非保持部を有することとすれば、延長部材を連結したときに後身頃が延長部材とともに人体の前部側に来て前身頃と重なることが少なくなり、見栄えを損なうことを少なくすることができる。
【００２２】
前記保持部は、前記後身頃の内面側の中央部の一定領域に設けられるとともに、前記延長部材は、前記保持部が設けられる前記後身頃の内面側の中央部における左右の端部から前記延長部材が挿出される左右のスリットまで前記後身頃の内面側に前記延長部材を保持しない非保持部とすることができる。
【００２３】
前記保持部は、左右方向の長さ寸法を、前記左右のスリット間の間隔の５０％以内の長さ寸法に設定されることができる。
【００２４】
上記目的を達成するために、本発明に係る衣服の締め付け方法は、身頃部を有する衣服の締め付け方法であって、前記衣服は、前記身頃部は、前身頃と後身頃を有するとともに、側部に左スリットと右スリットを有し、更に、前記後身頃の内面側に、側方に延びる延長部材を設け、前記延長部材は、前記スリットを介して前記後身頃の内面側から外側に挿出可能な長さに設定され、前記前身頃を介しての前記延長部材による前記人体の締め付け位置は、該延長部材を連結し前記前身頃を介して前記延長部材を前記人体に締め付けた状態で前記人体の第５肋軟骨における胸骨と連結する位置の最上端の位置から前記人体の前部における第８肋骨と第８肋軟骨とが連結する連結位置の最下端の位置に至る範囲内に設定されることを特徴とする。
【００２５】
上記目的を達成するために、本発明に係る衣服の締め付け方法は、身頃部を有する衣服の締め付け方法であって、前記衣服は、前記身頃部は、前身頃と後身頃を有するとともに、側部に左スリットと右スリットを有し、更に、前記後身頃の内面側に、側方に延びる延長部材を設け、前記延長部材は、前記スリットを介して前記後身頃の内面側から外側に挿出可能な長さに設定され、前記前身頃を介しての前記延長部材による締め付け位置は、該延長部材を連結し前記前身頃を介して前記延長部材を人体に締め付けた状態で人体の第５肋軟骨における胸骨と連結する位置の最上端の位置から人体の前部における第７肋骨と第７肋軟骨とが連結する連結位置の最下端の位置に至る範囲内に設定されることを特徴とする。
【００２６】
上記目的を達成するために、本発明に係る衣服の締め付け方法は、身頃部を有する衣服の締め付け方法であって、前記衣服は、前記身頃部は、前身頃と後身頃を有するとともに、側部に左スリットと右スリットを有し、更に、前記後身頃の内面側に、側方に延びる延長部材を設け、前記延長部材は、前記スリットを介して前記後身頃の内面側から外側に挿出可能な長さに設定され、前記前身頃を介しての前記延長部材による締め付け位置のうち少なくともいずれかの位置は、該延長部材の一端側と他端側を連結し前記前身頃を介して前記延長部材を人体に締め付けた状態で人体の剣状突起の最上端の位置から最下端の位置に至る範囲に含まれるように設定されることを特徴とする。
【００２７】
上記目的を達成するために、本発明に係る衣服の締め付け方法は、身頃部を有する衣服の締め付け方法であって、前記衣服は、前記身頃部は、前身頃と後身頃を有するとともに、側部に左スリットと右スリットを有し、更に、前記後身頃の内面側に、側方に延びる延長部材を設け、前記延長部材は、前記スリットを介して前記後身頃の内面側から外側に挿出可能な長さに設定され、前記前身頃を介しての前記延長部材による締め付け位置は、該延長部材の一端側と他端側を連結し前記前身頃を介して前記延長部材を人体に締め付けた状態で人体の剣状突起の最上端の位置から最下端の位置に至る範囲内に設定されることを特徴とする。
【００２８】
前記延長部材を、前記後身頃の内面側で保持するとともに、前記後身頃の内面側であって前記身頃部の側端となる前記左スリットおよび前記右スリットの付近では前記延長部材を保持しないこととすることができる。
【００２９】
前記保持は、前記後身頃の内面側の中央部の一定領域で行われるとともに、前記保持が行われる前記後身頃の内面側の中央部における左右の端部から前記左右のスリットまで前記後身頃の内面側に前記延長部材を保持しないこととすることができる。
【発明の効果】
【００３０】
本発明によれば、更に簡単に着付けをすることができる衣服を提供することができる。
【図面の簡単な説明】
【００３１】
【図１】本発明の実施形態に係る衣服の装着時における正面図である。
【図２】同衣服の上衣の非装着時における正面図である。
【図３】同衣服の延長部材の構成を示す図で、（ａ）は正面図、（ｂ）は上面図である。
【図４】同衣服の上衣の非装着時における後身頃の内面側の構成を示す正面図である。
【図５】同衣服の上衣の非装着時における構成を示す別の正面図である。
【図６】同衣服の上衣におけるスリットの構成を模式的に示す図２の側面断面図であり、（ａ）は図２のＡ−Ａ側面断面図、（ｂ）は図２のＢ−Ｂ側面断面図である。
【図７】同衣服の下衣スカートの構成を示す正面図である。
【図８】同衣服の延長部材による締め付け位置を説明するための図である。
【図９】同衣服の装着方法を説明するための正面図である。
【図１０】同衣服の装着方法を説明するための図９に続く正面図である。
【図１１】同衣服の装着方法を説明するための図１０に続く正面図である。
【図１２】同衣服の装着方法を説明するための図１１に続く正面図である。
【図１３】図１２のＡ−Ａ断面図である。
【図１４】同衣服の装着方法を説明するための図１２に続く正面図である。
【発明を実施するための形態】
【００３２】
以下、本発明の実施形態について図面を参照して詳細に説明する。なお、以下の説明においては、人体を基準として上下方向、左右方向、前後方向を定義し、図１に示すように、人体１００の上方側を上方、下方側を下方、左方側を左方、右方側を右方、図６に示すように、人体１００に衣服１を装着したときの人体１００側を内側、人体１００の外側を外側、人体１００の前側を前方、人体１００の後側を後方または背部として主に説明するものとする。
【００３３】
図１は、本発明の実施形態に係る衣服１の着用時における正面図、図２は、同衣服１の上衣３の非着用時における正面図、図３は、同衣服１の延長部材３０の構成を示す図で、（ａ）は正面図、（ｂ）は上面図、図４は、同衣服１の上衣３の非着用時における後身頃１２の内面１２ａ側の構成を示す正面図、図５は、同衣服１の上衣３の非装着時における別の正面図、図６は、同衣服１の上衣３の構成を模式的に示す図２の側面断面図、図７は、同衣服１の下衣スカート４の構成を示す正面図、図８は、同衣服１の延長部材３０による締め付け位置を説明するための正面図である。
【００３４】
これらの図を参照して本発明の衣服１の概要を説明すると、衣服１は、主に着物または浴衣に代表される和服等の衣服１であり、人体１００の胴部に胴帯２を巻き付けて装着される。
【００３５】
衣服１は、上衣３、下衣スカート４を有する二部式としている。衣服１の上衣３は、人体１００の上半身側に装着されるものであり、身頃部１０を有するとともに、袖部２０を有し、袖部２０は、相対的に袖丈の長い振袖としている。
【００３６】
身頃部１０は、人体１００の上半身側に装着される前身頃１１と後身頃１２を有している。そして、身頃部１０は、高さ方向に延びる左スリット１３と右スリット１４を有している。左スリット１３は、左上スリット１３ａおよび左下スリット１３ｂを有し、右スリット１４は、右上スリット１４ａおよび右下スリット１４ｂを有している。上スリット１３ａ，１４ａと下スリット１３ｂ，１４ｂは連続して形成されているが後述の如く機能が異なる。
【００３７】
すなわち、左上スリット１３ａおよび右上スリット１４ａは、左スリット１３および右スリット１４の上部側（つまり、図５のＬ´の上方側）にあり、身頃部１０の側端（側部）１０ａ´より詳しくは前身頃１１と後身頃１２の側端（側部）１０ａ´と袖部２０の基端２０´との接続部分に形成されている（つまり、袖部２０の基端２０´の左スリット２１および右スリット２２のうち左上スリット２１ａおよび右上スリット２２ａと身頃部１０の左上スリット１３ａおよび右上スリット１４ａとは接続し連通した形態となっている）。左上スリット１３ａおよび右上スリット１４ａは、人体１００の腕を袖部２０に通すための挿通穴として機能している。
【００３８】
左下スリット１３ｂおよび右下スリット１４ｂは、左スリット１３および右スリット１４の下部側にあり、袖部２０の基端２０´の左スリット２１および右スリット２２における左下スリット２１ｂおよび右下スリット２２ｂとは接続していない非連通の形態となっている。つまり、左下スリット１３ｂおよび右下スリット１４ｂは、和服における身八つ口として機能するものである。
【００３９】
左下スリット１３ｂおよび右下スリット１４ｂの上端１３ｂ´，１４ｂ´の位置は、身頃部１０の側端（側部）１０ａ´より詳しくは前身頃１１と後身頃１２の側端（側部）１０ａ´における袖部２０の基端２０´の身頃部１０との接続部分の最下端２０´´位置（つまり、袖部２０の基端２０´の左上スリット２１ａおよび右上スリット２２ａの下端２１ａ´，２２ａ´の位置）としている。
【００４０】
より詳しくは、左下スリット１３ｂおよび右下スリット１４ｂの上端１３ｂ´，１４ｂ´の位置は、人体１００の第５肋骨２０５の第５肋軟骨２０５´の上端２０５´Ａの高さ方向の位置よりも上方の位置とし、左下スリット１３ｂおよび右下スリット１４ｂの下端１３ｂ´´，１４ｂ´´の位置は、人体１００の剣状突起４００の下端４００Ｂ乃至人体１００の前部の第８肋骨２０８と第８肋軟骨２０８´とが連結する連結位置２０８´´における下端２０８´´Ｂの高さ方向の位置よりも下方の位置としている。
【００４１】
ここで、身頃部１０は、後身頃１２の中央部の内面１２ａ側に、延長部材３０を保持して設けている。延長部材３０は、側方より詳しくは左右方向に紐状または帯状に長尺に延びており、延長部材３０は、左下スリット１３ｂおよび右下スリット１４ｂを介して後身頃１２の内面１２ａ側から外側に挿出可能な長さに設定されている。
【００４２】
すなわち、延長部材３０は、左下スリット１３ｂおよび右下スリット１４ｂのいずれもから外側に挿出可能な長さに設定されている。そして、延長部材３０は、後身頃１２の内面１２ａ側に保持される延長部材保持部３０´を有している。また、延長部材３０は、後身頃１２の内面１２ａ側であって身頃部１０の側端１０ａ´となる左下スリット１３ｂおよび右下スリット１４ｂとは保持されない延長部材非保持部３０´´を有し、左下スリット１３ｂおよび右下スリット１４ｂから挿出する一端３０ａ側と他端３０ｂ側は自由端となっている。
【００４３】
より詳しくは、延長部材保持部３０´は、後身頃１２に保持された状態で後身頃１２の内面１２ａ側の中央部の一定領域１２´に設けられる（後身頃１２の内面１２ａ側の中央部の一定領域１２´は、後身頃１２が延長部材３０を保持する後身頃保持部１２´として機能する）。延長部材保持部３０´は、例えば前記一定領域１２´に縫合されて保持される等固着されるように保持される固着部となっている。そして、延長部材３０は、延長部材保持部３０´が設けられる後身頃１２の中央部の一定領域１２´における左右の端部１２ａ´，１２ｂ´から延長部材３０が挿出される左下スリット１３ｂ、右下スリット１４ｂまで後身頃１２の内面１２ａ側には保持より詳しくは固着されない延長部材非保持部３０´´となっている（後身頃１２の中央部の一定領域１２´における左右の端部１２ａ´，１２ｂ´から延長部材３０が挿出される左下スリット１３ｂ、右下スリット１４ｂまでの後身頃１２の内面１２ａ側は、後身頃１２が延長部材３０を保持（固着）しない後身頃非保持部１２´´として機能する）。
【００４４】
本発明において、延長部材保持部３０´は、左右方向の長さ寸法を、後身頃１２の内面１２ａ側に設定される中央ラインＬから左下スリット１３ｂ、右下スリット１４ｂ間の間隔Ｗの５０％以内の長さ寸法より好ましくは２０％〜４０％の長さ寸法に設定されている。
【００４５】
延長部材３０は、該延長部材３０の一端３０ａ側と他端３０ｂ側は、前身頃１１を介して延長部材３０を人体１００に巻き付けた状態で前身頃１１の前部の外面１１ａ側の所定位置で連結可能な長さに設定されている。
【００４６】
つまり、延長部材３０の一端３０ａ側と他端３０ｂ側には、端部連結部材４０が設けられており、延長部材３０の一端３０ａ側と他端３０ｂ側は、端部連結部材４０により相互に連結可能となっている。
【００４７】
このように、端部連結部材４０により延長部材３０の一端３０ａ側と他端３０ｂ側を相互に連結可能とすることにより、前身頃１１を介して延長部材３０を人体１００に巻き付けて締め付け可能とすることができる。延長部材３０の一端３０ａ側と他端３０ｂ側は、相互に係合可能とすることにより相互に連結可能とすることができる。
【００４８】
端部連結部材４０は、第１端部連結部材４１と第２端部連結部材４２を有しており、第１端部連結部材４１は、延長部材３０の一端３０ａ側に設けられ、第２端部連結部材４２は、延長部材４０の他端３０ｂ側に設けられている。第１端部連結部材４１と第２端部連結部材４２は、相互に係合可能とすることにより相互に連結可能としている。
【００４９】
更に第１端部連結部材４１と第２端部連結部材４２は、延長部材３０の長手方向に沿って所定の長さＬ１，Ｌ２を有しており、連結の位置を延長部材３０の長手方向に沿って相互に変更可能としている。これにより、延長部材３０の人体１００に対する巻き付け長さを変更可能とし、前身頃１１を介して延長部材３０を人体１００に締め付け可能となっている。すなわち、延長部材３０および端部連結部材４０は、前身頃１１を人体１００に装着しつつ締め付ける締め付け部材として機能する。なお、第１端部連結部材４１と第２端部連結部材４２との連結位置は、後述する図１２に示すように、身頃部１０の左右方向における中央ラインＬを含むように設定される。また、図３に示すように、延長部材３０を連結せずに側方に単に延ばしたときは、第１端部連結部材４１は、延長部材３０の後面に設けられ、第２端部連結部材４２は、延長部材３０の前面側に設けられる。このため、延長部材３０の一端３０ａおよび他端３０ｂを下スリット１３ｂ，１４ｂから挿出後にそれぞれ人体１００の前部側にターンさせるとともに、人体１００に巻き付けて連結したときは、第１端部連結部材４１が後部側、第２端部連結部材４２が前部側となるように連結することができる。
【００５０】
ここで、延長部材３０が後身頃１２の内面１２ａ側に保持して設けられる高さ方向の位置は、左下スリット１３ｂおよび右下スリット１４ｂが設けられる高さ方向の位置範囲に対応する位置範囲内とすることができる。
【００５１】
すなわち、図８に示すように、延長部材３０が保持して設けられる高さ方向の位置の全てより詳しくは延長部材３０の一端３０ａ側と他端３０ｂ側の高さ方向の連結位置の全て更に詳しくは前身頃１１を介しての延長部材３０による人体１００の高さ方向の締め付け位置の全ては、該延長部材３０の一端３０ａ側と他端３０ｂ側を連結し前身頃１１を介して延長部材３０を人体１００に締め付けた状態で人体１００の第５肋軟骨２０５´における胸骨３００と連結する位置の最上端の位置２０５´Ａから人体１００の前部における第８肋骨２０８と第８肋軟骨２０８´とが連結する連結位置２０８´´の最下端の位置２０８´´Ｂに至る範囲内に設定される。
【００５２】
より好ましくは、延長部材３０が保持して設けられる高さ方向の位置の全てより詳しくは延長部材３０の一端３０ａ側と他端３０ｂ側の高さ方向の連結位置の全て更に詳しくは前身頃１１を介しての延長部材３０による人体１００の高さ方向の締め付け位置の全ては、該延長部材３０の一端３０ａ側と他端３０ｂ側を連結し前身頃１１を介して延長部材３０を人体１００に締め付けた状態で人体１００の第５肋軟骨２０５´における胸骨３００と連結する位置の最上端の位置２０５´Ａから人体１００の前部における第７肋骨２０７と第７肋軟骨２０７´とが連結する連結位置２０７´´の最下端の位置２０７´´Ｂに至る範囲内に設定される。
【００５３】
更に好ましくは、延長部材３０が保持して設けられる高さ方向の位置のうち少なくともいずれかの位置より詳しくは延長部材３０の一端３０ａ側と他端３０ｂ側の高さ方向の連結位置のうち少なくともいずれかの位置更に詳しくは前身頃１１を介しての延長部材３０による人体１００の締め付け位置のうち少なくともいずれかの位置は、該延長部材３０の一端３０ａ側と他端３０ｂ側を連結し前身頃１１を介して延長部材を人体１００に締め付けた状態で、人体１００の剣状突起４００の最上端の位置４００Ａから最下端の位置４００Ｂに至る範囲に含まれるように設定される。
【００５４】
また更に好ましくは、延長部材３０が保持して設けられる高さ方向の位置の全てより詳しくは延長部材３０の一端３０ａ側と他端３０ｂ側の高さ方向の連結位置の全て更に詳しくは前身頃１１を介しての延長部材３０による人体１００の締め付け位置の全ては、該延長部材３０の一端３０ａ側と他端３０ｂ側を連結し前身頃１１を介して延長部材を人体１００に締め付けた状態で、人体１００の剣状突起４００の最上端の位置４００Ａから最下端の位置４００Ｂに至る範囲内に設定される。
【００５５】
ここで、前身頃１１は、左右方向の中央部の上端から下端にかけて左右に分離するように形成されており、左前身頃１１ａ´と右前身頃１１ｂ´を有している。そして、左前身頃１１ａ´の中央部側の高さ方向に延びる端部は、左襟部１５ａを有し、右前身頃１１ｂ´の中央部側の高さ方向の端部は、右襟部１５ｂを有している。端部連結部材４０は、左襟部１５ａと右襟部１５ｂを重ね合わせた状態で前身頃１１の前部の外面１１ａ側の所定位置で連結可能となっている。
【００５６】
左襟部１５ａおよび右襟部１５ｂは、左襟部１５ａを前部側とし、右襟部１５ｂを後部側として重ね合わせられる。そして、延長部材３０の一端３０ａ側は、左下スリット１３ｂから挿出して人体１００の前部側にターンし、延長部材３０の他端３０ｂ側は、右下スリット１４ｂから挿出して人体１００の前部側にターンし、端部連結部材４０は、一端３０ａ側に設けられる第１端部連結部材４１を後部側とし、他端３０ｂ側に設けられる第２端部連結部材４２を前部側として第１端部連結部材４１と第２端部連結部材４２を重ね合わせるように連結可能としている。なお、第１端部連結部材４１および第２端部連結部材４２は、相互に係合する雌雄の面ファスナーとすることができ、第１端部連結部材４１を雌面ファスナー、第２端部連結部材４２を雄面ファスナーとすることができる。延長部材３０は、滑性素材で形成されており、滑性素材は、サテン生地とすることができる。
【００５７】
ここで、衣服１は、襟部連結部材５０を有し、襟部連結部材５０は、延長部材３０および下スリット１３ｂ，１４ｂの下端１３ｂ´´，１４ｂ´´の下方に位置している。そして、襟部連結部材５０は、左襟部１５ａと右襟部１５ｂを重ね合わせた状態で、左襟部１５ａの内面側と右襟部１５ｂが設けられる右前身頃１１ｂ´の外面側とを連結可能としている。また、襟部連結部材５０は、左襟部１５ａの内面側と右襟部１５ｂが設けられる右前身頃１１ｂ´の外面側は、係合可能とすることにより連結可能としている。
【００５８】
なお、襟部連結部材５０は、釦より詳しくはスナップ釦５０とすることができ、スナップ釦５０は、凹状の雌スナップ釦５１と凸状の雄スナップ釦５２を有している。雌スナップ釦５１と雄スナップ釦５２を嵌め合わせて係合可能とすることにより、左襟部１５ａの内面側と右襟部１５ｂが設けられる右前身頃１１ｂ´の外面側を連結可能とすることができる。
【００５９】
スナップ釦５０は、雌スナップ釦５１および雄スナップ釦５２のうちいずれか一方は、左襟部１５ａの内面側に設けられ、雌スナップ釦５１および雄スナップ釦５２のうちいずれか他方は、左襟部１５ａと右襟部１５ｂを重ね合わせた状態で左襟部１５ａの内面側と対応する右襟部１５ｂが設けられる右前身頃１１ｂ´の外面側の所定位置に設けられている。
【００６０】
なお、本発明においては、左襟部１５ａの内面側に雄スナップ釦５２を設け、右襟部１５ｂが設けられる右前身頃１１ｂ´の外面側の所定位置に雌スナップ釦５１が設けられている。
【００６１】
このように構成された本発明の衣服１の装着方法および締め付け方法を説明すると次のようになる。
【００６２】
すなわち、まず図９に示すように、下衣スカート４を装着する。本発明の下衣スカート４は、ワンピースの如く構成されており、肩紐部４ａを肩に掛け回して装着する。
【００６３】
次いで、図１０に示すように、上衣３を装着する。このとき、延長部材３０の一端３０ａ側を左下スリット１３ｂから、他端３０ｂ側を右下スリット１４ｂから、それぞれ挿出する。これにより、延長部材３０は、下スリット１３ｂ，１４ｂを介して後身頃１２の内面１２ａ側から外側に挿出される。
【００６４】
この延長部材３０の外側への挿出は、延長部材３０を、後身頃１２の内面１２ａ側で保持するとともに、後身頃１２の内面１２ａ側であって身頃部１０の側端１０ａ´となる左下スリット１３ｂおよび右下スリット１４ｂの付近では延長部材３０を保持しないで行う挿出方法つまり衣服１の締め付け方法となる。
【００６５】
また、この保持は、後身頃１２の内面１２ａ側の中央部の一定領域１２´で行われるとともに、保持が行われる後身頃１２の内面１２ａ側の中央部における左右の端部１２ａ´，１２ｂ´から左右の下スリット１３ｂ、４ｂまで後身頃１２の内面１２ａ側に延長部材３０を保持しないで行う保持方法つまり衣服１の締め付け方法となる。
【００６６】
続いて、図１１に示すように、襟部１５ａ，１５ｂを、左襟部１５ａを前部側とし、右襟部１５ｂを後部側として重ね合わせて、襟部連結部材５０より詳しくはスナップ釦５０を係合することにより連結する。
【００６７】
そして、図１２及び図１３に示すように、端部連結部材４０を連結する。この連結は、一端３０ａ側に設けられる第１端部連結部材４１を後部側とし、他端３０ｂ側に設けられる第２端部連結部材４２を前部側として第１端部連結部材４１と第２端部連結部材４２が重ね合わせられるように連結する。
【００６８】
また、この連結は、前身頃１１を介しての延長部材３０による人体１００の高さ方向の締め付け位置の全てが、延長部材３０の一端３０ａ側と他端３０ｂ側を連結し前身頃１１を介して延長部材３０を人体１００に締め付けた状態で人体１００の第５肋軟骨２０５´における胸骨３００と連結する位置の最上端の位置２０５´Ａから人体１００の前部における第８肋骨２０８と第８肋軟骨２０８´とが連結する連結位置２０８´´の最下端の位置２０８´´Ｂに至る範囲内に設定より好ましくは人体１００の第５肋軟骨２０５´における胸骨３００と連結する位置の最上端の位置２０５´Ａから人体１００の前部における第７肋骨２０７と第７肋軟骨２０７´とが連結する連結位置２０７´´の最下端の位置２０７´´Ｂに至る範囲内に設定されるように行われる衣服１の締め付け方法となる。
【００６９】
更に好ましくは、この連結は、前身頃１１を介しての延長部材３０による人体１００の高さ方向の締め付け位置のうち少なくともいずれかの位置が、延長部材３０の一端３０ａ側と他端３０ｂ側を連結し前身頃１１を介して延長部材３０を人体１００に締め付けた状態で人体１００の剣状突起４００の最上端の位置４００Ａから最下端の位置４００Ｂに至る範囲に含まれるように設定、また更に好ましくは、前身頃１１を介しての延長部材３０による人体１００の高さ方向の締め付け位置の全てが、延長部材３０の一端３０ａ側と他端３０ｂ側を連結し前身頃１１を介して延長部材３０を人体１００に締め付けた状態で人体１００の剣状突起４００の最上端の位置４００Ａから最下端の位置４００Ｂに至る範囲内に設定されるように行われる衣服１の締め付け方法となる。
【００７０】
更に、この連結は、第１端部連結部材４１と第２端部連結部材４２との連結位置が身頃部１０の左右方向における中央ラインＬを含むように行われる衣服１１の締め付け方法となる。また更に、この連結は、襟部１５ａ，１５ｂと端部連結部材４０の前後の重ね合わせの状態を相互に反対にして行なわれる衣服１の締め付け方法となる。
【００７１】
次いで、図１４に示すように、延長部材３０の外面側から胴帯２を巻き付けて胴帯２により延長部材３０を隠し本発明の衣服１を人体１００に装着完了とする。
【００７２】
以上説明したように、本発明の衣服１によれば、後身頃１２の中央部の内面１２ａ側に、側方より詳しくは左右方向に紐状または帯状に長尺に延びる延長部材３０を保持して設け、延長部材３０は、下スリット１３ｂ，１４ｂを介して後身頃１２の内面１２ａ側から外側に挿出可能な長さに設定されることとしたので、延長部材３０を、外側に挿出後に単に連結することにより身頃部１０を装着することが可能となる等、従来に対し更に簡単に衣服１を装着することができる。
【００７３】
また、延長部材３０が保持して設けられる高さ方向の位置の全てより詳しくは延長部材３０の一端３０ａ側と他端３０ｂ側の高さ方向の連結位置の全て更に詳しくは前身頃１１を介しての延長部材３０による人体１００の締め付け位置の全ては、延長部材３０の一端３０ａ側と他端３０ｂ側を連結し前身頃１１を介して延長部材３０を人体１００に締め付けた状態で人体１００の第５肋軟骨２０５´における胸骨３００と連結する位置の最上端の位置２０５´Ａから人体１００の前部における第８肋骨２０８と第８肋軟骨２０８´とが連結する連結位置２０８´´の最下端の位置２０８´´Ｂに至る範囲内に設定より好ましくは人体１００の第５肋軟骨２０５´における胸骨３００と連結する位置の最上端の位置２０５´Ａから人体１００の前部における第７肋骨２０７と第７肋軟骨２０７´とが連結する連結位置２０７´´の最下端の位置２０７´´Ｂに至る範囲内に設定、更に好ましくは延長部材３０が保持して設けられる高さ方向の位置のうち少なくともいずれかの位置より詳しくは延長部材３０の一端３０ａ側と他端３０ｂ側の高さ方向の連結位置のうち少なくともいずれかの位置更に詳しくは前身頃１１を介しての延長部材３０による人体１００の締め付け位置のうち少なくともいずれかの位置は、延長部材３０の一端３０ａ側と他端３０ｂ側を連結し前身頃１１を介して延長部材３０を人体１００に締め付けた状態で人体１００の剣状突起４００の最上端の位置４００Ａから最下端の位置４００Ｂに至る範囲に含まれるように設定、また更に好ましくは延長部材３０が保持して設けられる高さ方向の位置の全てより詳しくは延長部材３０の一端３０ａ側と他端３０ｂ側の高さ方向の連結位置の全て更に詳しくは前身頃１１を介しての延長部材３０による人体１００の締め付け位置の全ては、延長部材３０の一端３０ａ側と他端３０ｂ側を連結し前身頃１１を介して延長部材３０を人体１００に締め付けた状態で人体１００の剣状突起４００の最上端の位置４００Ａから最下端の位置４００Ｂに至る範囲内に設定されることとしたので、胸部と胴部の境界における人体１００の窪みを利用しつつ締め付けることができ、身頃部１０が位置ずれする等衣服１が着崩れすることを少なくすることができる（例えば、胴帯１０が下方に下がることが少なくなり、いわゆる襟抜きをした場合にその状態を長時間保持することも可能となる）。
【００７４】
また、衣服１は、襟部連結部材５０を有し、襟部連結部材５０は、左襟部１５ａと右襟部１５ｂを重ね合わせた状態で前身頃１１の前部の外面１１ａ側の所定位置で連結可能とすることとしたので、衣服１が着崩れすることを更に少なくすることができる。
【００７５】
更に、衣服１は、左襟部１５ａおよび右襟部１５ｂは、左襟部１５ａを前部側とし、右襟部１５ｂを後部側として重ね合わせられるとともに、延長部材３０の一端３０ａ側は、左下スリット１３ｂから挿出し、延長部材３０の他端３０ｂ側は、右下スリット１４ｂから挿出し、端部連結部材４０は、延長部材３０の一端３０ａ側に設けられる第１端部連結部材４１を後部側とし、延長部材３０の他端３０ｂ側に設けられる第２端部連結部材４２を前部側として第１端部連結部材４１と第２端部連結部材４２が重ね合わせられるように連結可能とることとしたので、襟部１５ａ，１５ｂと端部連結部材４０の前後の重ね合わせの状態を相互に反対にすることができ、更に一層衣服１が着崩れすることを少なくすることができる。
【００７６】
更にまた、延長部材３０は、後身頃１２の内面１２ａ側に保持される保持部３０´を有するとともに、後身頃１２の内面１２ａ側であって後身頃１２の左右の側端となる左下スリット１３ｂおよび右下スリット１４ｂとは保持されない非保持部３０´´を有することとしたので、延長部材３０を連結したときに後身頃１２の側端側が延長部材３０とともに人体１００の前部側に来て前身頃１１と重なることが少なくなり、見栄えを損なうことを少なくすることができる。
【００７７】
また、延長部材３０は、後身頃１２の内面１２ａ側に保持されることとしたので不使用時に衣服１を畳んだときに、身頃部１０の内側に収納することができる等、外部から見えないようにすることができる。
【００７８】
なお、本発明は、特許請求の範囲を逸脱しない範囲内において種々の変形実施、応用実施が可能であることは勿論である。
【００７９】
すなわち、上述した実施形態にあっては、衣服１は主に和服とすることとしているが洋服であってもよい。また、衣服１は二部式としているが、一部式の長襦袢であってもよい。つまり、衣服１は上述した形態以外の衣服であっても、人体１００の上半身側に装着される身頃部に下スリット１３ｂ，１４ｂ、延長部材３０、端部連結部材４０、襟部連結部材５０等を設けることとすれば本発明の技術的効果を奏することができる。
【００８０】
また、上述した実施形態にあっては、延長部材３０の端部連結部材４０や襟部連結部材５０を面ファスナーやスナップ釦等により係合することにより連結することとしているが、その他の締結手段や接続手段、更には所要に結び付ける等により連結することとしても所要の効果を奏する。
【００８１】
更に、上述した実施形態にあっては、第１端部連結部材４１と第２端部連結部材４２のいずれも延長部材３０の長手方向に沿って所定の長さを有することとしているが、第１端部連結部材４１と第２端部連結部材４２のうち少なくともいずれか一方が、前記延長部材の長手方向に沿って所定の長さを有することとすれば所要の効果を奏する。
【００８２】
更に、上述した実施形態にあっては、延長部材保持部３０´は、例えば後身頃１２の内面１２ａ側の一定領域１２´に縫合されて保持される等固着されるように保持されることとしているがその他の固着方法を採用することとしてもよい。また、延長部材保持部３０´は、後身頃１２の内面１２ａ側の後身頃保持部１２´と連結するように保持することとしてもよい。
【００８３】
更には、後身頃１２の内面１２ａ側に後身頃保持部１２´として例えば環状の案内ループを設けこの案内ループに延長部材３０を挿通し保持することとしてもよい。この場合にあっては、延長部材保持部３０´は、後身頃１２の内面１２ａ側の後身頃保持部１２´に固着されずその保持状態により位置が変更されることとなる。
【符号の説明】
【００８４】
Ｌ：中央ライン
Ｌ１，Ｌ２：所定の長さ
Ｗ：間隔
１：衣服
２：胴帯
３：上衣
４：下衣スカート
４ａ：肩紐部
１０：身頃部
１０ａ´：側端（側部）
１１：前身頃
１１ａ：外面
１１ａ´：左前身頃
１１ｂ´：右前身頃
１１ｂ´´：外面
１２：後身頃
１２ａ：内面
１２ａ´，１２ｂ´：端部
１２´：中央部の一定領域（後身頃保持部）
１２´´：後身頃非保持部
１３：左スリット
１３ａ：左上スリット
１３ｂ：左下スリット
１３ｂ´：上端
１３ｂ´´：下端
１４：右スリット
１４ａ：右上スリット
１４ｂ：右下スリット
１４ｂ´：上端
１４ｂ´´：下端
１５ａ：左襟部
１５ａ´：内面
１５ｂ：右襟部
２０：袖部
２１：左スリット
２１ａ：左上スリット
２１ａ´：下端
２１ｂ：左下スリット
２２：右スリット
２２ａ：右上スリット
２２ａ´：下端
２２ｂ：右下スリット
２０´：基端
２０´´：下端
３０：延長部材
３０ａ：一端
３０ｂ：他端
３０´：延長部材保持部
３０´´：延長部材非保持部
４０：端部連結部材
４１：第１端部連結部材
４２：第２端部連結部材
５０：襟部連結部材（スナップ釦）
５１：凹状の雌スナップ釦
５２：凸状の雄スナップ釦
１００：人体
２０５´：第５肋軟骨
２０５´Ａ：上端
２０７：第７肋骨
２０７´：第７肋軟骨
２０７´´：連結位置
２０７´´Ｂ：下端
２０８：第８肋骨
２０８Ｂ：下端
２０８´：第８肋軟骨
２０８´´：連結位置
２０８´´Ｂ：下端
３００：胸骨
４００：剣状突起
４００Ａ：上端
４００Ｂ：下端
【図１】
2020084364.tif 000003
【図２】
2020084364.tif 000004
【図３】
2020084364.tif 000005
【図４】
2020084364.tif 000006
【図５】
2020084364.tif 000007
【図６】
2020084364.tif 000008
【図７】
2020084364.tif 000009
【図８】
2020084364.tif 000010
【図９】
2020084364.tif 000011
【図１０】
2020084364.tif 000012
【図１１】
2020084364.tif 000013
【図１２】
2020084364.tif 000014
【図１３】
2020084364.tif 000015
【図１４】
2020084364.tif 000016
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
身頃部を有する衣服であって、
前記身頃部は、前身頃と後身頃を有するとともに、側部に左スリットと右スリットを有し、
更に、前記後身頃の内面側に、側方に延びる延長部材を設け、
前記延長部材は、前記スリットを介して前記後身頃の内面側から外側に挿出可能な長さに設定され、
更に、前記延長部材は、前記左スリットおよび前記右スリットのいずれもから前記外側に挿出可能な長さに設定されるとともに、前記左スリットおよび前記右スリットから挿出する一端側と他端側を自由端として前記前身頃の前部の外面側の所定位置で連結可能な長さに設定され、
前記延長部材が設けられる高さ方向の位置は、前記左スリットおよび前記右スリットが設けられる高さ方向の位置に対応する位置とし、
前記延長部材を、前記後身頃の内面側で保持する保持部を有するとともに、前記後身頃の内面側であって前記身頃部の側端となる前記左スリットおよび前記右スリットの付近では前記延長部材を保持しない非保持部を有し、前記延長部材の外面側から胴帯を巻き付け、
前記保持部は、前記後身頃の内面側の中央部の一定領域に設けられるとともに、前記保持部が設けられる前記後身頃の内面側の中央部における左右の端部から前記左右のスリットまで前記後身頃の内面側に前記延長部材を保持しない非保持部とし、
前記延長部材の一端側と他端側は、端部連結部材により相互に連結可能とし、前記端部連結部材により前記延長部材の一端側と他端側を相互に連結可能とすることにより、前記前身頃を介して前記延長部材を人体に巻き付けて締め付け可能とし、
前記端部連結部材は、前記延長部材の一端側に設けられる第１端部連結部材と、前記延長部材の他端側に設けられる第２端部連結部材と、を有し、前記第１端部連結部材と前記第２端部連結部材は、相互に係合可能とすることにより相互に連結可能とし、更に前記第１端部連結部材と前記第２端部連結部材は、前記延長部材の長手方向に沿って所定の長さを有し、前記連結の位置を前記延長部材の長手方向に沿って相互に変更可能とし、
前記端部連結部材は、前記一端側に設けられる第１端部連結部材を後部側とし、前記他端側に設けられる第２端部連結部材を前部側として前記第１端部連結部材と前記第２端部連結部材が重ね合わせられるように連結可能とし、前記第１端部連結部材と前記第２端部連結部材は、面ファスナーとし、前記第１端部連結部材を雌面ファスナー、前記第２端部連結部材を雄面ファスナーとし、前記第１端部連結部材を相対的に長い長さとし、前記第２端部連結部材を相対的に短い長さとし、
前記前身頃は、左右方向の中央部の上端から下端にかけて左右に分離するように形成され、左前身頃と右前身頃を有し、前記左前身頃の中央部側の端部は、左襟部を有し、右前身頃の中央部側の端部は、右襟部を有し、前記端部連結部材は、前記左襟部と前記右襟部を重ね合わせた状態で前記前身頃の前部の外面側の所定位置で連結可能とし、
前記左襟部および前記右襟部は、前記左襟部を前部側とし、前記右襟部を後部側として重ね合わせられるとともに、
更に襟部連結部材を有し、前記襟部連結部材は、前記延長部材の連結の位置および前記スリットの下端の下方に位置し、前記左襟部と前記右襟部を重ね合わせた状態で、前記左襟部の内面側と前記右襟部が設けられる前記右前身頃の外面側とを連結可能とし、前記襟部連結部材は、前記左襟部の内面側と前記右襟部が設けられる前記右前身頃の外面側を、係合可能とすることにより連結可能とし、
前記襟部連結部材は、スナップ釦とし、前記スナップ釦は、凹状の雌スナップ釦と凸状の雄スナップ釦を有し、前記雌スナップ釦と前記雄スナップ釦を嵌め合わせて係合可能とすることにより、前記左襟部の内面側と前記右襟部が設けられる前記右前身頃の外面側を連結可能とし、
前記左襟部の内面側に前記雄スナップ釦を設け、前記右襟部が設けられる前記右前身頃の外面側の所定位置に雌スナップ釦が設けられることを特徴とする衣服。
【手続補正２】
【補正対象書類名】明細書
【補正対象項目名】０００５
【補正方法】変更
【補正の内容】
【０００５】
本発明はこのような事情に鑑みてなされたものであり、更に簡単に装着をすることができる衣服および衣服の締め付け方法を提供するとともに、見栄えを損なうことを少なくすることができる衣服を提供し、かつ、着崩れすることを少なくすることができる衣服の締め付け方法を提供することを目的とする。